(57)【要約】【課題】  戸袋に開口部や排出窓を設けたり、ゴミ吸引用の管部材を設けることなく、戸袋に溜まったゴミやほこりの除去を容易に行うことのできる掃除機能付き引戸を提供する。【解決手段】  戸袋１３から出し入れ可能に引き出される引戸１０において、引戸１０の下端部内側に配設され、一端が吸引口１６として戸尻１７側端部の下端面１８に開口すると共に、他端が電気掃除機１９の接続口２０として戸先２１側端部に開口する配管２２を備える。また引戸１０の下端部の横桟２３と、引戸１０の戸尻１７側端部の縦桟２４との接合角部分に取付けられる接続部材２５であって、Ｌ字形状部の一辺部２６には横桟２３が他辺部２７には縦桟２４が各々連結されると共に、一辺部２６の下面に吸引口１６と戸車２８とが設けられ、Ｌ字形状部の折曲り内側部分に吸引口１６と連通する配管接続口２９が設けられている吸引口接続部材２５に配管２２が接続され、この接続部材２５を介して配管２２の一端が戸尻１７側端部の下端面１８に開口する。【選択図】      図１
2005082989.tif 000002
【特許請求の範囲】
【請求項１】
戸袋から出し入れ可能に引き出される引戸において、該引戸の下端部内側に配設され、一端が吸引口として戸尻側端部の下端面に開口すると共に、他端が電気掃除機の接続口として戸先側端部に開口する配管を備える掃除機能付き引戸。
【請求項２】
前記引戸の下端部に沿って配置された横桟と、前記引戸の戸尻側端部に沿って配置された縦桟との接合角部分に取り付けられる吸引口接続部材に前記配管が接続されて、該吸引口接続部材を介して前記配管の一端が前記戸尻側端部の下端面に開口している請求項１に記載の掃除機能付き引戸。
【請求項３】
前記吸引口接続部材はＬ字形状部を含んでおり、該Ｌ字形状部の一辺部の端部には前記横桟が他辺部の端部には前記縦桟が各々連結されると共に、前記Ｌ字形状部の一辺部の下面に前記吸引口と戸車とが設けられ、且つ前記Ｌ字形状部の折曲り内側部分に前記吸引口と連通する配管接続口が設けられている請求項２に記載の掃除機能付き引戸。
【請求項４】
前記配管の戸先側端部に開口する電気掃除機の接続口は、前記引戸の戸先側端面方向と、前記引戸の正面方向の双方に向けて開口可能となっている請求項１〜３のいずれかに記載の掃除機能付き引戸。
【請求項５】
前記戸尻側端部から下方に延設してブラシ部材が取り付けられている請求項１〜４のいずれかに記載の掃除機能付き引戸。
【発明の詳細な説明】
【技術分野】
【０００１】
本発明は、掃除機能付き引戸に関し、特に戸袋の奥部を掃除する機能を備える掃除機能付き引戸に関する。
【背景技術】
【０００２】
建物の空間と空間との間を開閉可能に仕切る建具として、溝やレールに沿って引き滑らせながら出入口を開閉する引戸が多用されており、引戸によれば、丁番等の金物を軸として回転するような形式で出入口を開閉する開き戸と比較して、戸を開閉する際の占有領域をコンパクトにすることができ、建物内の空間をより有効に利用することが可能になる。また引戸は、例えば出入口と隣接して仕切壁に沿って設けられた戸袋に収容されて、出入口を開放した状態とすると共に、戸袋の開口端面と対向配置された出入口の枠部材にその戸先側端面が当接するまで引き出されて、出入口を閉塞した状態とするものである。
【０００３】
一方、このような引戸を出し入れ可能に収容する戸袋は、その開口端面と反対側の奥部が閉塞されたものであるため、戸袋の内部にゴミやほこりが溜まりやすく、例えば引戸のスムーズな引き出し操作や引き込み操作に影響を与える場合がある。また戸袋に溜まったゴミやほこりの除去は、引戸を一旦取り外した後に箒や電気掃除機等を用いて行う必要があるが、引戸は、出入口の枠部材に戸先側端面を当接させるまで引き出して出入口を閉塞した状態においても、戸尻側端部が戸袋内に僅かに食い込んで配置されて出入口の遮光機能や遮音機能が効果的に得られるようになっているため、引戸を取り外したり再設置する作業に多くの手間を要することになる。
【０００４】
これに対し、引戸を取り外す作業を要することなく、戸袋に溜まったゴミやほこりの除去を行えるようにする手段として、戸袋の正面下部に相当の大きさの掃除用の小開口部や排出窓を設けたものや、戸袋の内部に当該戸袋の奥部まで延設させてゴミ吸引用の管部材を設けたものが開示されている（例えば、特許文献１、特許文献２参照）。
【特許文献１】特開平９−７８９６０号公報
【特許文献２】特開２００１−３６５９号公報
【発明の開示】
【発明が解決しようとする課題】
【０００５】
しかしながら、戸袋からゴミやほこりの除去を行えるようにした従来の技術によれば、戸袋の下部に開口部や排出窓を設ける場合には、これらの開口部や排出窓からゴミやほこりが内部に侵入しないように、例えば開閉可能な蓋を設けておく必要を生じて戸袋の構成が複雑になると共に、開口部や蓋が戸袋の外部に相当の大きさで現れて美感が損なわれることになる。また戸袋の内部に管部材を設ける場合には、当該管部材を設置するためのスペースを内部に設ける必要を生じて戸袋が大掛かりな構造になる。
【０００６】
本発明は、戸袋に開口部や排出窓を設けたり、ゴミ吸引用の管部材を設けるための特別の加工を施すことなく、戸袋に溜まったゴミやほこりの除去を容易に行うことを可能にする掃除機能付き引戸を提供することを目的とする。
【課題を解決するための手段】
【０００７】
本発明は、戸袋から出し入れ可能に引き出される引戸において、該引戸の下端部内側に配設され、一端が吸引口として戸尻側端部の下端面に開口すると共に、他端が電気掃除機の接続口として戸先側端部に開口する配管を備える掃除機能付き引戸を提供することにより、上記目的を達成したものである。
【０００８】
そして、本発明の掃除機能付き引戸は、前記引戸の下端部に沿って配置された横桟と、前記引戸の戸尻側端部に沿って配置された縦桟との接合角部分に取り付けられる吸引口接続部材に前記配管が接続されて、該吸引口接続部材を介して前記配管の一端が前記戸尻側端部の下端面に開口していることが好ましい。
【０００９】
また、本発明の掃除機能付き引戸は、前記吸引口接続部材はＬ字形状部を含んでおり、該Ｌ字形状部の一辺部の端部には前記横桟が他辺部の端部には前記縦桟が各々連結されると共に、前記Ｌ字形状部の一辺部の下面に前記吸引口と戸車とが設けられ、且つ前記Ｌ字形状部の折曲り内側部分に前記吸引口と連通する配管接続口が設けられていることが好ましい。
【００１０】
さらに、本発明の掃除機能付き引戸は、前記配管の戸先側端部に開口する電気掃除機の接続口が、前記引戸の戸先側端面方向と、前記引戸の正面（背面）方向の双方に向けて開口可能となっていることが好ましい。
【００１１】
さらにまた、本発明の掃除機能付き引戸は、前記戸尻側端部から下方に延設してブラシ部材が取り付けられていることが好ましい。
【発明の効果】
【００１２】
本発明によれば、戸袋に開口部や排出窓を設けたり、ゴミ吸引用の管部材を設けるための特別の加工を施すことなく、戸袋に溜まったゴミやほこりの除去を容易に行うことができる。
【発明を実施するための最良の形態】
【００１３】
本発明の好ましい一実施形態に係る掃除機能付き引戸１０は、図１（ａ），（ｂ）及び図２に示すように、例えば建物の内部の隣接する居室部間の仕切壁１１に開口形成された縦長矩形形状の出入口１２を、開閉可能に仕切るための建具として用いられるものである。また本実施形態の掃除機能付き引戸１０は、出入口１２及び戸袋１３の上枠１４や下枠１５に設けられたガイド溝やガイドレールに案内されて、仕切壁１１に沿って出入口１２の側方に設けられた戸袋１３から出し入れ可能にスライド移動させて用いられると共に、戸袋１３の内部に溜まったゴミやほこりを除去する機能を備えるものである。
【００１４】
すなわち、本実施形態の掃除機能付き引戸１０は、戸袋１３から出し入れ可能に引き出される引戸であって、図３にも示すように、当該引戸１０の下端部内側に配設され、一端が吸引口１６として戸尻１７側端部の下端面１８に開口すると共に、他端が電気掃除機１９の接続口２０として戸先２１側端部に開口する配管２２を備えている。
【００１５】
また、本実施形態によれば、図４及び図５（ａ），（ｂ）に示すように、引戸１０の下端部に沿って配置された横桟２３と、引戸１０の戸尻１７側端部に沿って配置された縦桟２４との接合角部分に取り付けられるＬ字形状部を含む吸引口接続部材２５であって、Ｌ字形状部の一辺部２６の端部には前記横桟２３が他辺部２７の端部には前記縦桟２４が各々連結されると共に、Ｌ字形状部の一辺部２６の下面に吸引口１６と戸車２８とが設けられ、且つＬ字形状部の折曲り内側部分に吸引口１６と連通する配管接続口２９が設けられている吸引口接続部材２５に配管２２が接続されて、この吸引口接続部材２５を介して配管２２の一端が戸尻１７側端部の下端面１８に開口している。
【００１６】
本実施形態によれば、引戸１０は、例えば複数の縦桟と横桟とを枠部材として縦横に配置した骨組構造の表裏面に、化粧用合板を取り付けてなるフラッシュ構造を備えており、縦１８００〜２４００ｍｍ、横６００〜１２００ｍｍ、厚さ３０〜４０ｍｍ程度の大きさの正面矩形形状を有するパネル状の建具である。また引戸１０には、その中央部分にガラス板等からなる透光板３０が取り付けられている（図１参照）。さらに、引戸１０は、その下端面１８から下方に突出して設けられた一対の戸車２８（図３参照）によって両側を支持された状態で、上枠１４や下枠１５に設けられたガイド溝やガイドレールに沿ってスライド移動することにより、出入口１２を開閉するようになっている。
【００１７】
また、引戸１０は、その横幅が、出入口１２の横幅よりも、かぶり寸法として１０〜４０ｍｍ程度長くなっている。当該引戸１０を出入口１２に設置する際には、例えば横長コの字断面形状の戸袋１３（図２参照）の、開口端面３１に近接する部分の一方の壁面を切り欠いておいて、引戸１０の戸尻１７側端部が戸袋１３内にかかるようにして、引戸１０を出入口１２にスライド可能に配置した後に、戸袋１３の切欠き部分に、戸袋１３の壁面材料と同様の材質の桟材３２を取り付ける。これによって、引戸１０は、戸袋１３の開口端面３１と対向配置された出入口１２の縦枠部材３３にその戸先２１側端面が当接するまで引き出されて、出入口１２を閉塞した状態において（図１（ａ）参照）、戸尻１７側端部が戸袋１３内に僅かに食い込んで配置されることになり、これによって、出入口１２を閉塞した際の遮光機能や遮音機能が効果的に発揮されることになる。
【００１８】
戸袋１３は、奥部が袋小路状に閉塞された中空部分を有していると共に、出入口１２と隣接して仕切壁１１に沿って設けられた、引戸１０を出し入れ可能に収容する横長コの字断面形状の部分である。また戸袋１３は、引戸１０の横幅よりも０〜１００ｍｍ程度短い中空部分の長さを有しており、これによって、引戸１０は、その戸尻１７側端面が奥部の端面３５に当接するまで引き込まれて戸袋１３に収容された際に、引き手３４が設けられた戸先２１側の端部を戸袋１３の開口端面３１から僅かに突出させた状態で、出入口１２を開放するようになっている（図１（ｂ）参照）。
【００１９】
そして、本実施形態によれば、引戸１０の下端部内側に配設される配管２２は、例えばプラスチック等の合成樹脂からなり、例えば１５〜３５ｍｍ程度の管径を有している。また配管２２は、図４〜図６に示すように、引戸１０の下端部に沿って配置された最下端の横桟２３と、２段目の横桟２３’との間に位置して横方向に配設されると共に、これらの横桟２３，２３’の間に跨って適宜位置に設けられた補強桟３６を貫通させることにより当該補強桟３６に支持させて、引戸１０の下端部内側に安定した状態で固定されることになる。さらに、本実施形態によれば、配管２２の一端は、吸引口接続部材２５を介して戸尻１７側端部の下端面１８に開口すると共に、配管２２の他端は、ソケット部材３７を介して電気掃除機１９の接続口２０として戸先２１側端部に開口することになる。
【００２０】
配管２２の一端が接続される吸引口接続部材２５は、例えばプラスチック等の合成樹脂や鉄板等の金属材料を、Ｌ字形状部を含む所定の形状に加工することによって形成されるもので、上述のように、Ｌ字形状部の一辺部２６の端部に横桟２３が、他辺部２７の端部に縦桟２４が各々連結された状態で、引戸１０の下端部の横桟２３と引戸１０の戸尻１７側端部の縦桟２４との接合角部分に取り付けられる。またＬ字形状部の一辺部２６の下面には、縦桟２４が連結された他辺部２７の直下部分に位置して、吸引口１６が矩形形状に開口している。さらに、Ｌ字形状部の一辺部２６には、吸引口１６と隣接する部分に、戸車２８の高さを可変調整可能な公知の戸車ユニット３８が埋め込まれており、これによって戸車２８が、当該一辺部２６の下面から下方に突出して設けられることになる。なお、Ｌ字形状部の一辺部２６の側面には、戸車ユニット３８の高さ調整ネジ３９が表出して設けられており、この高さ調整ネジ３９を回転させて、引戸１０の正面（背面）側から戸車２８の高さを容易に調整することができるようになっている。
【００２１】
さらに、本実施形態によれば、吸引口１６と戸車ユニット３８との間に配置されて、Ｌ字形状部の一辺部２６には、これの下面から下方に延設されてブラシ部材４０が取り付けられている。このように、引戸１０の戸尻１７側端部に設けられられた吸引口接続部材２５から下方に延設されてブラシ部材４０が取り付けられていることにより、引戸１０の戸袋１３からの出し入れに伴って、戸袋１３の下面に散在するゴミやほこりを効果的にかき寄せることが可能になり、戸袋に溜まったゴミやほこりの除去をさらに効率良く行うことが可能になる。
【００２２】
さらにまた、本実施形態によれば、一辺部２６と他辺部２７とが接合するＬ字形状部の折曲り内側部分から斜め上方に突出して、吸引口１６と連通する接続ノズル４１が設けられており、この接続ノズル４１の先端部分が配管接続口２９となっている。この配管接続口２９に配管２２の一端が接続されることにより、当該配管２２の一端が、吸引口接続部材２５を介して戸尻１７側端部の下端面１８に開口することになる。
【００２３】
配管２２の他端が接続されるソケット部材３７は、例えばプラスチック等の合成樹脂からなり、戸先２１側端部に沿って配置された、幅が１５〜３５ｍｍ程度の縦桟２４’を貫通するように取り付けられて、その一端が、幅１５〜３５ｍｍ程度、長さ５０〜１００ｍｍ程度の縦長の長円形状の接続口２０として、戸先２１側端面方向に向けて戸先２１側端部に開口している。またソケット部材３７の他端は、配管２２と同様の１５〜３５ｍｍ程度の径の円形となるよう断面形状が絞り込まれるように徐々に変形して、配管２２の接続口として戸先２１側端部方向に開口している。この接続口に配管２２の他端が接続されることにより、当該配管２２の他端が、ソケット部材３７を介して電気掃除機の接続口２０として戸先側端部に開口することになる。なお、清掃時以外の、接続口２０に電気掃除機が接続されない状態においては、接続口２０を閉塞キャップ４２を用いて適宜閉塞しておくことにより、引戸１０の美感を損なわないようにすることができる。
【００２４】
そして、本実施形態の引戸１０によれば、戸先２１側端部に開口する接続口２０に電気掃除機１９の吸引ホース４３を接続して、戸袋１３の清掃作業を行うことにより、戸袋１３に開口部や排出窓を設けたり、ゴミ吸引用の管部材を設けるための特別の加工を施すことなく、戸袋１３に溜まったゴミやほこりの除去を容易に行うことが可能になる。
【００２５】
すなわち、本実施形態によれば、吸引ホース４３の先端吸引口４４に、図６（ｂ）に示すように、接続口２０の形状に合致する形状の先端開口を備えるアタッチメント４５を取り付けると共に、このアタッチメント４５の先端開口を接続口２０に接続した状態で、電気掃除機１９を駆動することにより、引戸１０の戸尻１７側端部の下端面に開口する吸引口１６から、配管２２を介して、戸袋１３の内部に溜まったゴミやほこりが電気掃除機１９に容易かつスムーズに吸い込まれ、これによって戸袋１３に溜まったゴミやほこりが容易に除去されることになる。
【００２６】
また、このような清掃作業は、例えば戸尻１７側端面を戸袋１３の奥部の端面３５に当接させて引戸１０を戸袋１３に収容した状態から、引戸１０を徐々に引き出しつつ行うことにより、戸袋１３の内部の略全体に亘って効率良くゴミやほこりを除去することが可能になる。
【００２７】
さらに、例えばソケット部材３７の一端を枝分かれさせて、戸先２１側端部の接続口２０を、引戸１０の正面（背面）方向にも開口させておき、戸先側端面方向に開口する接続口２０と、正面（背面）方向に開口する接続口２０とを、閉塞キャップ４２を用いて選択的に使用しつつ清掃作業を行うことにより、例えば引戸１０によって出入口１２を完全に閉塞した状態においても、正面（背面）方向に開口する接続口２０を介して、戸袋１３の内部のゴミやほこりの吸引を容易に行うことが可能になる。
【００２８】
なお、本発明は、上記各実施形態に限定されることなく種々の変更が可能である。例えば、配管の一端の吸引口を吸引口接続部材を介して戸尻側端部の下端面に開口させる必要は必ずしもなく、戸尻側端部の下端面に直接開口させることもできる。また配管の他端の電気掃除機の接続口を、ソケット部材を介して戸先側端部に開口させる必要は必ずしもない。さらに、配管の他端の電気掃除機の接続口は、引戸の正面（背面）方向に向けてのみ開口させることもでき、戸尻側端部から下方に延設してブラシ部材を取り付ける必要は必ずしもない。
【００２９】
さらにまた、本発明によれば、吸引口接続部材として、図７に示すような埋込み式の戸車ユニット５０を用いることもできる。すなわち、図７に示す戸車ユニット５０は、下面に戸車５１と吸引口５２とを備え、内部に空気通路が設けられた馬の背形状の吸引口接続部材であって、馬の背の首の部分に、配管の一端が接続される配管接続口５３が設けられている。そして、戸車ユニット５０は、引戸の下端部に沿って配置された横桟５４と引戸の戸尻側端部に沿って配置された縦桟５５との補強桟６１によ  って補強された接合角部分５６において、例えばルーターを用いて後加工で形成されたユニット装着用の切欠き部５７に埋め込むようにして取り付けられることになる。
【００３０】
また、このような戸車ユニット５０を用いる際には、例えば配管５８一端を、伸縮可能なジャバラ状のホース５９を用いて形成すると共に、当該伸縮可能なホース５９を切欠き部５７の上方部分に縮めた状態で予め仕込んでおく。そして、切欠き部５７を形成した後に、このホース５９を引き出して配管接続口５３に接続すると共に、ホース５９を押し込むようにしながら戸車ユニット５０を切欠き部５７に装着し、固定ビス６０等を用いて固定することによって、戸車ユニット５０を接合角部分５６に取り付ける。このような戸車ユニット５０を用いることによっても、配管５８の一端を安定した状態で戸尻側端部の下端面に開口させることが可能になり、上述と同様の作用効果が得られることになる。
【図面の簡単な説明】
【００３１】
【図１】（ａ）及び（ｂ）は、本発明の一実施形態に係る引戸によって出入口を開閉する状態の説明図である。
【図２】本発明の一実施形態に係る引戸によって出入口を閉塞した状態の、図１（ａ）のＡ−Ａに沿った断面図である。
【図３】本発明の一実施形態に係る引戸の構成を説明する略示斜視図である。
【図４】本発明の一実施形態に係る引戸の戸尻側端部の接合角部分における配管の取り付け状況を、化粧用合板を省略して示す部分斜視図である。
【図５】（ａ）は吸引口接続部材の斜視図、（ｂ）は吸引口接続部材を接合角部分に取り付けた状態を斜め下方から視た部分斜視図である。
【図６】（ａ）は本発明の一実施形態に係る引戸の戸先側端部における配管の取り付け状況を、化粧用合板を省略して示す部分斜視図、（ｂ）は吸引ホースに取り付けられるアタッチメントの説明図である。
【図７】他の吸引口接続部材の取り付け状況を説明する略示す斜視図である。
【符号の説明】
【００３２】
１０  掃除機能付き引戸
１１  仕切壁
１２  出入口
１３  戸袋
１６  吸引口
１７  戸尻
１８  戸尻側端部の下端面
１９  電気掃除機
２０  電気掃除機の接続口
２１  戸先
２２  配管
２３  横桟
２４  縦桟
２５  吸引口接続部材
２６  Ｌ字形状部の一辺部
２７  Ｌ字形状部の他辺部
２８  戸車
２９  配管接続口
３１  戸袋の開口端面
３３  出入口の縦枠部材
３７  ソケット部材
４０  ブラシ部材
４１  接続ノズル
４３  吸引ホース
４５  アタッチメント
５０  戸車ユニット（吸引口接続部材）
【図１】
2005082989.tif 000003
【図２】
2005082989.tif 000004
【図３】
2005082989.tif 000005
【図４】
2005082989.tif 000006
【図５】
2005082989.tif 000007
【図６】
2005082989.tif 000008
【図７】
2005082989.tif 000009